(57)【要約】【課題】排水装置の取付け、特に、断熱壁底部が低く設定されたショーケースの下部架台内においても取付け作業が容易な排水装置を備えた冷凍・冷蔵ショーケースを提供する。【解決手段】平型ショーケース１の架台５内に支持固定されたドレントラップ１１は、断熱壁２の底板部９に固定される支持部材１３と、支持部材１３の下面に対し着脱自在に取付けられる排水受け部材１４とから構成されている。支持部材１３の支持部１６には、外周端部において、内周側に開口する断面視略コ字状の複数のガイド部１７と、排水管部１５とガイド部１７との間で、下方に延長する筒状の突出片からなる位置決め部１８とが設けられている。排水受け部材１４の上端部には、ガイド部１７に対応して外方向に突出する複数の支持片１９が設けられている。【選択図】      図１
2004353909.tif 000002
【特許請求の範囲】
【請求項１】
断熱壁の底板に形成された排水口に対し、トラップ部を構成する排水装置を備えた冷凍・冷蔵ショーケースにおいて、
前記排水装置は、前記断熱壁の底板に固定される支持部材と、当該支持部材の下面側に着脱自在に取り付けられる排水受け部材とから構成され、
前記支持部材は、前記排水口に連通する排水管部と、当該排水管部の外周面に形成され、前記断熱壁の底板下面側に固定される板状の支持部とを有し、当該支持部は、下面側に、平面視略円弧状で、内周側に開口する断面視略コ字状の複数のガイド部と、前記排水管部と前記ガイド部との間で、前記ガイド部の下端面よりも下方に突出する位置決め部とを有し、
前記排水受け部材は、有底筒状の容器体の上端部に、前記複数のガイド部に対応して、各ガイド部間の凹部に挿入可能な幅で、かつ、前記ガイド部内をスライド可能な厚さで形成された複数の支持片を有することを特徴とする冷凍・冷蔵ショーケース。
【請求項２】
前記排水受け部材は、側壁の略全周に亘って、周方向に所定間隔をおいて形成された複数の排水孔を有し、当該排水孔は、前記排水管部の下端開口部よりも上方に位置することを特徴とする請求項１に記載の冷凍・冷蔵ショーケース。
【発明の詳細な説明】
【０００１】
【発明の属する技術分野】
本発明は、排水装置としてドレントラップを備えた冷凍・冷蔵ショーケースに関する。
【０００２】
【従来の技術】
冷凍・冷蔵ショーケースでは、冷却器からの除霜水等の排水を庫外に排出する排水口に対し、庫外の暖気，湿気，臭気等の流入や、冷気の流出を防止するための排水装置として、一般に、ゴム管の中途部をＵ字状に折曲，固定してトラップ部を構成したドレントラップが用いられていたが、ドレントラップの取付け，取外し作業が困難であるとともに、トラップ部に堆積したゴミの除去等が困難であり、メンテナンス作業を容易に行うことができないという問題があった。このような問題を解決するため、従来、断熱壁底部に形成したガイド部と、当該ガイド部に対して下方から着脱自在に取り付けられた容器状の排水受け部材とを備えるドレントラップを用いた構成が公知となっている（例えば、特許文献１参照。）
【０００３】
【特許文献１】
特開平０６−０１８１４６号公報（第３，４頁、図１，５，６）
【０００４】
特許文献１に記載の構成では、ドレントラップを構成する容器状の排水受け部材に係止爪と弾性変形する保持辺を有し、断熱壁下面に形成した一方のガイド部に係止爪を挿入係止した後、他方のガイド部に保持辺の上端部を挿入して、保持辺の狭幅部をガイド部の突形状部に係止することによって排水受け部材を取り付けるようにしている。排水受け部材の内部には、排水受け部材内の排水を外部に排出するための開口部を備えた連通部が設けられており、当該連通部と、断熱壁下面の開口に備えられた排水管部材とにより、トラップ部を構成している。
【０００５】
【発明が解決しようとする課題】
しかし、特許文献１に記載の構成では、取外しは容易に行うことができる一方、取付け作業が困難という問題があった。即ち、排水受け部材を安定的に支持する関係上、係止爪を挿入する係合部の開口幅等は一般に小さく形成されるため、係止爪を係合部に挿入する際、細かな位置合わせ作業が必要となり、係合部の位置を下側から視認しながら作業を行わなければならないという問題があった。特に、近時、冷凍・冷蔵ショーケースについて、陳列スペースを最大限に確保するため、断熱壁底部を低く設定する低床化の傾向にあることから、ガイド部の位置を視認しながら作業を行うためにより低い姿勢をとる必要があり、設置スペースの狭い店舗内では取付け作業がさらに困難となっていた。
【０００６】
本発明は、前記課題を解決するためのものであり、排水装置の取付け、特に、断熱壁底部が低く設定されたショーケースの下部架台内における取付け作業を容易に行うことができるとともに、断熱壁底部に対して安定的に支持可能な排水装置を備えた冷凍・冷蔵ショーケースを提供することを目的とする。
【０００７】
【課題を解決するための手段】
上記の課題を解決するため本発明は、断熱壁の底板に形成された排水口に対し、トラップ部を構成する排水装置を備えた冷凍・冷蔵ショーケースにおいて、前記排水装置は、前記断熱壁の底板に固定される支持部材と、当該支持部材の下面側に着脱自在に取り付けられる排水受け部材とから構成され、前記支持部材は、前記排水口に連通する排水管部と、当該排水管部の外周面に形成され、前記断熱壁の底板下面側に固定される板状の支持部とを有し、当該支持部は、下面側に、平面視略円弧状で、内周側に開口する断面視略コ字状の複数のガイド部と、前記排水管部と前記ガイド部との間で、前記ガイド部の下端面よりも下方に突出する位置決め部とを有し、前記排水受け部材は、有底筒状の容器体の上端部に、前記複数のガイド部に対応して、各ガイド部間の可能な幅で、かつ、前記ガイド部内をスライド可能な厚さで形成された複数の支持片を有することを特徴とする。これにより、排水受け部材の位置合わせが容易となり、取付位置を下側から視認すること無く、取付け作業を行うことが可能となる。
【０００８】
また、前記排水受け部材は、側壁の略全周に亘って、周方向に所定間隔をおいて形成された複数の排水孔を有し、当該排水孔は、前記排水管部の下端開口部よりも上方に位置することにより、略全方向をトラップ部として機能させることが可能となるとともに、排水能力を向上させることができる。
【０００９】
【発明の実施の形態】
以下、本発明の実施の形態について、図面に基づき説明する。
図１は、本発明の一実施の形態に係るドレントラップを備えた冷凍・冷蔵ショーケースとして、平型ショーケースに適用した例を示す断面図であり、図２〜４は、平型ショーケースに備えられる排水装置としてのドレントラップを示す図であり、図２はドレントラップにおける排水の流れを説明するための要部断面図、図３はドレントラップを示す分解斜視図、図４はドレントラップを構成する支持部材を示す底面図である。なお、図２では、ドレントラップ以外についてのハッチングを省略している。また、図３では、ドレントラップを構成する支持部材をショーケース断熱壁の底板部に固定した状態を示している。
図１に示すように、本実施の形態に係る平型ショーケース１は、断熱壁２により構成された本体３内に、上部開放の箱型形状の商品収納部４を有し、本体３の下部には、商品収納部４を適度な高さに保持する架台５を有する。商品収納部４の外周部及び商品収納部４，４間には冷気循環用のダクト６が形成され、ダクト６内には、冷却器７と送風機８とが備えられている。
断熱壁２の底板部９には、ダクト６内の冷却器７からの除霜水等を庫外に排出するための排水口部材１０が備えられている。
【００１０】
本実施の形態では、架台５内において、排水口部材１０の透孔に連通する排水管を備えた排水装置としてのドレントラップ１１が固定されている。ドレントラップ１１の下方には、ドレントラップ１１から排出された除霜水等を溜めるドレン受皿１２が備えられている。
ドレントラップ１１は、断熱壁２の底板部９に固定される支持部材１３と、支持部材１３の下面に対し着脱自在に取付けられる排水受け部材１４とから構成されている。支持部材１３は、図２に示すように、底板部９に備えられた排水口部材１０の透孔に連通する排水管部１５と、排水管部１５の外周面において、高さ方向の略中間位置付近において略円板状に形成された排水受け部材１４の支持部１６とから構成される。この場合、例えば、排水管部１５の上部端近傍の外周面に、排水口部材１０の下端内周部に形成された雌ネジに螺挿される雄ネジを形成し、排水口部材１０に排水管部１５を螺合することにより支持部材１３を底板部９に対して固定する。
【００１１】
支持部材１３を構成する支持部１６の外周端部には、図３，４に示すように、下面側において周方向に沿って延長する略円弧状の複数のガイド部１７が所定間隔をおいて形成されている。各ガイド部１７は、後述する排水受け部材１４の外周形状に対応するように形成されている。ガイド部１７は、図１，２に示すように、内周側に開口する断面視略コ字状に形成されるとともに、図４に示すように、反時計回り方向の前端側に開口部１７ａを有し、後端側に閉塞部１７ｂを有している。また、排水管部１５とガイド部１７との間には、下方に延長する筒状の突出片からなる位置決め部１８が設けられている。位置決め部１８は、排水受け部材１４の内周面に対し所定間隔の隙間を有する程度の小径に形成され、位置決め部１８の下端は、ガイド部１７の下端面よりも下方に位置するとともに、後述する排水受け部材１４の排水孔を塞がない程度の高さに形成されている。
【００１２】
排水受け部材１４は、図３に示すように、有底筒状の容器体で構成されており、上端部には、ガイド部１７に対応して外方向に突出する複数の支持片１９が設けられている。支持片１９は、図４に示す支持部１６の各ガイド部１７，１７の間の凹部１７ｃに挿入可能な程度の幅で、かつ、ガイド部１７内をスライド可能な程度の厚さで形成されている。排水受け部材１４の側壁には、排水受け部材１４が支持部材１６に支持された状態で、排水管部１５の下端開口部よりも上方に位置するように、矩形状の排水孔２０が複数形成されている。排水孔２０は、排水受け部材１４の略全周に亘って、周方向に所定間隔をおいて形成されている。
【００１３】
ドレントラップ１１は、図２の矢印に示すように、支持部材１３の排水管部１５と、排水受け部材１４の底部及び排水孔２０により、略Ｕ字状のトラップ部を構成することとなる。この場合、排水孔２０が略全周に亘って形成されているため、ドレントラップ１１の略全周をトラップ部として機能させることが可能となる。
【００１４】
以上のように構成された平型ショーケース１では、予め断熱壁２の底板部９に形成された排水口部材１０に対して、透孔と排水管部１５とが連通するように支持部材１３を固定しておく。
排水受け部材１４の取付け時には、平型ショーケース１の架台５に取付けられた図外の前面パネルを取外した後、支持部材１３に対して排水受け部材１４を位置合わせを行う。この場合の位置合わせとしては、ガイド部１７の下端面に支持片１９の上端面が当接した状態で、位置決め部１８が排水受け部材１４の内周面の内側に位置していればよく、細かい位置決め作業は必要としない。この状態で、ガイド部１７，１７の間の凹部１７ｃに支持片１８が挿入可能な角度に排水受け部材１４を摺動回転させた後、排水受け部材１４を上方に持ち上げる。さらに、ガイド部１７の開口部１７ａから閉塞部１７ｂに当接する位置までガイド部１７内を時計回りにスライドさせるように排水受け部材１４を回転させ、ガイド部１７内の底部に支持片１９を支持させることにより、支持部１６に排水受け部材１４を支持固定させた状態とする。
【００１５】
一方、ドレントラップ１１の底部に堆積したゴミの除去等のメンテナンス時において排水受け部材１４を取外す場合には、架台５に取付けられた図外の前面パネルを取外した後、排水受け部材１４の支持片１９を閉塞部１７ｂからガイド部１７，１７間の凹部１７ｃまで反時計回りにスライドさせるように排水受け部材１４を回転させた後、排水受け部材１４を下方に落とすようにして取外しを行う。
【００１６】
以上のように、本実施の形態では、平型ショーケース１の架台５内に収容されるドレントラップ１１を、断熱壁２の底板部９に固定される支持部材１３と、支持部材１３に着脱自在に支持される排水受け部材１４とから構成し、支持部材１３の外周端部下面側に、周方向に沿って延長する断面視略コ字状のガイド部１７を複数形成するとともに、排水管部１５とガイド部１７との間において下方に突出する位置決め部１８を形成し、排水受け部材１４に、複数のガイド部１７に対応して、各ガイド部１７，１７間の凹部１７ｃに挿入可能な幅で、かつ、ガイド部１７内をスライド可能な厚さに形成された複数の支持片１９を設けることとしたので、排水受け部材１４の位置合わせが容易になるとともに、ガイド部１７及びこのガイド部１７内をスライド可能な支持片１９により、排水受け部材１４の着脱が容易となる。特に、取付けの際には、位置決め部材１８及び凹部１７ｃに基づいて位置合わせをすることが可能となるため、排水受け部材１４の細かい位置合わせが不要となり、下側から視認しながら作業を行わなくともよいこととなる。従って、狭いスペースの店舗内であっても取付け作業を容易に行うことができる。また、ガイド部１７内に支持片１９を支持させることとしたので、支持部材１３に対して排水受け部材１４を安定的に支持固定することが可能となる。
また、排水受け部材１４に排水用の配管を設ける代わりに、複数の排水孔を形成することとしたので、排水受け部材１４内部全体をトラップ部として利用することができる。従って、排水受け部材１４内に堆積したゴミの除去等のメンテナンス間隔を長くすることができる。特に、本実施の形態では、略全周に亘って、周方向に所定間隔をおいて排水孔を設けることとしたので、略全方向をトラップ部として機能させることが可能となるとともに、排水能力を向上させることができる。また、特許文献１に記載の構成のように排水受け部材１４内に配管を設けたものではないため、配管の付根等の細かい隙間にゴミが詰まることが無く、メンテナンス時における排水受け部材１４内のゴミ等の除去作業が容易となる。
【００１７】
なお、本実施の形態では、２つのガイド部及び２つの支持片を設けた例を示しているが、これに限られるものでは無く、ガイド部と支持片との数が対応しているものであれば、種々設定可能なものとする。
また、支持部を円板状に形成することしているが、これに限られるものではなく、支持部を矩形の板状に形成してもよい。また、ガイド部を設ける位置は、必ずしも支持部の外周端部に限られるものでは無く、外周端部以外の位置に設けてもよい。また、必ずしも排水受け部材の外周形状に対応して形成する必要はなく、円弧状の各ガイド部が、排水受け部材の各支持片を支持可能な位置に設けられていればよい。従って、排水受け部材の形状も、矩形の筒状としてもよい。
また、支持部材の固定方法としては、底板部に対して支持部をネジ等で直接固定することとしてもよい。
また、位置決め部についても必ずしも筒状のものには限られず、ガイド部の下端面よりも下方に突出し、排水受け部材の位置決めが可能な形状であれば、他の形状としてもよい。
また、排水孔の数，形状についても、種々設定可能なものとする。
また、前記実施の形態では、平型ショーケースに適用した例を示したが、これに限られるものでは無く、他の形態のショーケースにも適用可能である。
【００１８】
【発明の効果】
以上、説明したように、本発明の冷凍・冷蔵ショーケースによれば、次のような効果を奏する。
（１）排水装置としてのドレントラップを構成する支持部材に設けられた位置決め部及びガイド部間の凹部により、排水受け部材の位置合わせが容易となり、ショーケースの架台内を下側から視認しながら取付け作業を行う必要が無くなる。
（２）また、断面略コ字状に形成されたガイド部内に、排水受け部材の支持片を支持させることとしたので、支持部材に対して排水受け部材を安定的に支持させることが可能となる。
（３）さらに、前記排水受け部材は、側壁の略全周に亘って、周方向に所定間隔をおいて形成された複数の排水孔を有し、当該排水孔は、前記排水管部の下端開口部よりも上方に位置することにより、略全方向をトラップ部として機能させることが可能となるとともに、排水能力を向上させることができる。
【図面の簡単な説明】
【図１】本発明の一実施の形態に係るショーケース全体を示す断面図である。
【図２】ショーケースに備えられるドレントラップのトラップ構造を説明するための拡大断面図である。
【図３】ショーケースに備えられるドレントラップを示す分解斜視図である。
【図４】ショーケースに備えられるドレントラップを構成する支持部材を示す底面図である。
【符号の説明】
１    平型ショーケース
２    断熱壁
３    本体
４    商品収納部
５    架台
６    ダクト
７    冷却器
８    送風機
９    底板部
１０    排水口部材
１１    ドレントラップ
１２    ドレン受皿
１３    支持部材
１４    排水受け部材
１５    排水管部
１６    支持部
１７    ガイド部
１７ａ  開口部
１７ｂ  閉塞部
１７ｃ  凹部
１８    位置決め部
１９    支持片
２０    排水孔
【図１】
2004353909.tif 000003
【図２】
2004353909.tif 000004
【図３】
2004353909.tif 000005
【図４】
2004353909.tif 000006